(57)【要約】【課題】通気部に変形を来す事態を防止すること。【解決手段】換気框３０は、面材を支持する内周側部３２と、内周側部３２の外周側に位置する部位から見付け方向に沿って延在された通気部３３と、通気部３３の外周側に位置する部位に設けられた外周側部３１とを有し、通気部３３に見込み方向に沿った通気用開口３３ａが設けられたものであり、換気框３０には、内周側部３２と外周側部３１との間に見付け面に開口する収容空間３４，３５が設けられ、収容空間３４，３５には、通気用開口３３ａを通じた通気を制御する開閉機構３６，３７が配設されているとともに、内周側部３２及び外周側部３１に架け渡して補強材４０が取り付けられている。【選択図】図５
2019218715.tif 000002
【特許請求の範囲】
【請求項１】
面材の縁部に沿って換気フレーム材が設けられた建具であって、
前記換気フレーム材は、見込み方向に沿った通気用開口が設けられた通気部と、前記通気部よりも面材側に位置する内周側部と、前記通気部よりも外周側に位置する外周側部とを有し、前記内周側部及び前記外周側部に架け渡して補強材が取り付けられていることを特徴とする建具。
【請求項２】
前記補強材は、前記換気フレーム材の長手に沿った長さを有し、前記通気部の通気用開口に対向する部位に通孔を有していることを特徴とする請求項１に記載の建具。
【請求項３】
前記補強材は、見付け方向に沿って延在する見付け延在部と、見込み方向に沿って延在する見込み延在部とを一体に成形したものであり、前記見付け延在部及び前記見込み延在部を介して前記内周側部及び前記外周側部に取り付けられていることを特徴とする請求項１に記載の建具。
【請求項４】
前記補強材には、耐火性を有した熱膨張性部材が配設されていることを特徴とする請求項１に記載の建具。
【請求項５】
前記補強材は、前記換気フレーム材の長手に沿った長さを有し、前記通気部の通気用開口に対向する部位に通孔を有し、
前記補強材の見付け延在部には、ガイドリブが突出して設けられ、前記ガイドリブにおいて前記通孔に臨む面に耐火性を有した熱膨張性部材が配設されていることを特徴とする請求項３に記載の建具。
【請求項６】
前記内周側部及び前記外周側部には、前記通気部の見付け面延長上となる部位に取付溝が設けられており、
前記補強材は、見付け方向に沿って延在する平板状を成し、両側の縁部がそれぞれ前記取付溝に装着されていることを特徴とする請求項１に記載の建具。
【請求項７】
前記換気フレーム材には、前記内周側部と前記外周側部との間に収容空間が設けられ、
前記収容空間には、前記通気用開口を通じた通気を制御する開閉機構が配設されていることを特徴とする請求項１に記載の建具。
【発明の詳細な説明】
【技術分野】
【０００１】
本発明は、面材の縁部に沿って換気フレーム材が設けられた建具に関する。
【背景技術】
【０００２】
建具には、上框や下框等のように面材を支持するフレーム材や専用のフレーム材に換気装置を設けたものがある。換気装置では、例えば、フレーム材に室内外方向に沿って通気用開口を設けるとともに、通気用開口を開閉するための開閉機構を設けるようにしている。この種の換気装置を備えた建具によれば、開閉機構を操作することによって通気用開口を開放すれば、障子を閉じた状態においても室内と室外とで通気を行うことができるようになる。換気が不要の際には、開閉機構を操作して通気用開口を閉じた状態に維持すれば、室内と室外との間の通気を遮断することができる。
【０００３】
上述の建具では、換気装置が設けられたフレーム材（以下、換気フレーム材という）に開閉機構を配設するための収容空間が設けられている。収容空間は、面材を支持する内周側の内周側部と、内周側部の外周側に位置する部位から外周側に向けて延在された通気部と、通気部の外周側に位置する部位に設けられた外周側部とによって囲まれた部分である。換気のための通気用開口は、通気部に形成されている。この収容空間は、例えば換気フレーム材の室内に臨む表面の長手に沿った全長に開口しているとともに、両端面が開口している。収容空間の両端部は、換気フレーム材の両端部にキャップを取り付けることによって閉塞されている（例えば、特許文献１参照）。
【先行技術文献】
【特許文献】
【０００４】
【特許文献１】特開２０１３−２８９８５号公報
【発明の概要】
【発明が解決しようとする課題】
【０００５】
上述した換気フレーム材では、内周側部及び外周側部に比べて通気部の室内外方向に沿った寸法が小さく、かつ通気部に通気用開口が設けられている。このため、建具に風圧が加えられて面材が湾曲するように変形した場合には、面材に沿って通気部に変形を来すおそれがある。なお、通気部に変形を来す事態は専用のフレーム材に換気装置を設けたものにのみ生じるものではなく、上框や下框に換気装置を設けたものにも同様に生じ得る。また、収容空間の開口が長手に沿った全長にあるものにのみ生じるものではなく、矩形状の開口やスリット状の開口が複数設けられているものにも生じるおそれがある。
【０００６】
本発明は、上記実情に鑑みて、通気部に変形を来す事態を防止することのできる建具を提供することを目的とする。
【課題を解決するための手段】
【０００７】
上記目的を達成するため、本発明に係る建具は、面材の縁部に沿って換気フレーム材が設けられた建具であって、前記換気フレーム材は、見込み方向に沿った通気用開口が設けられた通気部と、前記通気部よりも面材側に位置する内周側部と、前記通気部よりも外周側に位置する外周側部とを有し、前記内周側部及び前記外周側部に架け渡して補強材が取り付けられていることを特徴とする。
【発明の効果】
【０００８】
本発明によれば、内周側部及び外周側部に架け渡すように補強材が配設されているため、風圧によって面材が湾曲するように変形した場合にも、通気部に変形を来すおそれがなくなる。
【図面の簡単な説明】
【０００９】
【図１】本発明の実施の形態１である建具を室外側から見た図である。
【図２】図１に示した建具の要部を示すもので、開閉機構が遮断状態の縦断面図である。
【図３】図１に示した建具の要部を示すもので、開閉機構が開放状態の縦断面図である。
【図４】図１に示した建具の要部を示すもので、開閉機構が開放状態において熱膨張性部材が膨張した状態の縦断面図である。
【図５】図１に示した建具の換気フレーム材を示すもので、（ａ）は補強材を取り外した状態の縦断面図、（ｂ）は補強材を取り付けた状態の縦断面図である。
【図６】図１に示した建具の換気フレーム材を示す分解斜視図である。
【図７】図１に示した建具の換気フレーム材を示す斜視図である。
【図８】図６に示した換気フレーム材に適用する補強材の斜視図である。
【図９】本発明に係る建具の変形例を示す要部縦断面図である。
【図１０】図９に示した建具の換気フレーム材に適用する補強材の斜視図である。
【図１１】図９に示した建具の換気フレーム材を示すもので、（ａ）は補強材を取り外した状態の縦断面図、（ｂ）は補強材を取り付けた状態の縦断面図である。
【図１２】本発明の実施の形態２である建具の要部を示す縦断面図である。
【図１３】図１２に示した建具の換気フレーム材に適用する補強材の斜視図である。
【発明を実施するための形態】
【００１０】
以下、添付図面を参照しながら本発明に係る建具の好適な実施の形態について詳細に説明する。
【００１１】
（実施の形態１）
図１〜図３は、本発明の実施の形態１である建具を示したものである。ここで例示する建具は、枠体１０に対して室外側の外障子２０Ａ及び室内側の内障子２０Ｂをそれぞれ左右方向にスライド可能に配設した引き違い窓と称されるものである。枠体１０は、左右の縦枠１１、上枠１２及び下枠１３を四周枠組みすることによって構成したものである。外障子２０Ａ及び内障子２０Ｂは、左右で互いに対称となるように構成したものである。本実施の形態１では、左右の縦框２１の間に上框２２及び下框２３を架設することによってそれぞれの障子２０Ａ，２０Ｂの框組２４が構成してある。個々の框組２４には、上框２２の下縁に沿って換気框（換気フレーム材）３０が配設してあり、さらに左右の縦框２１、下框２３及び換気框３０によって囲まれる領域に、矩形状を成す複層ガラス等の面材２５が配設してある。
【００１２】
框組２４を構成するそれぞれの左右の縦框２１、上框２２及び下框２３（以下、これらを総称する場合に単に框材２１，２２，２３という）は、樹脂によって成形した押し出し形材であり、長手方向の全長にわたってほぼ一様な断面形状を有するように構成してある。図には明示していないが、本実施の形態１で適用する框材２１，２２，２３は、互いに同一の断面形状を有するように構成してあり、両端部に設けた４５°の接合面を介して互いに熱溶着してある。より具体的に説明すると、それぞれの框材２１，２２，２３は、略矩形の筒状を成す基部２０１を有したもので、基部２０１の内周側となる見込み面２０１ａに支持ヒレ部２０２及び装着溝２０３を有している。支持ヒレ部２０２は、見込み面２０１ａにおいて室内側となる縁部から内周側に突出した部分であり、個々の框材２１，２２，２３の長手に沿った全長にわたる部位に設けてある。装着溝２０３は、見込み面２０１ａにおいて室外側となる縁部に設けた凹部であり、個々の框材２１，２２，２３の長手に沿った全長にわたる部位に設けてある。
【００１３】
ここで、見込み面とは、見込み方向に沿った面のことである。見込み方向とは、図中の矢印Ａで示すように、建具の奥行きに沿った方向である。また、この実施の形態１では見付け方向という用語も用いる。見付け方向は、上框２２や下框２３等のように水平方向に沿って延在するものの場合、見込み方向に直交した上下に沿う方向である。縦框２１等のように上下方向に沿って延在するものの場合には、見込み方向に直交した水平に沿う方向を見付け方向という。見付け方向に沿った面については、見付け面と称する場合がある。
【００１４】
面材２５の上縁部に沿って配置される換気框３０は、框組２４を構成する框材２１，２２，２３と同様、樹脂によって成形した押し出し形材であり、長手方向の全長にわたってほぼ一様な断面形状を有するように構成してある。換気框３０の両端は、長手方向に対して直角となるように構成してある。本実施の形態１では、図２、図３及び図５に示すように、框組２４に対して外周側となる外周側部３１と、内周側となる内周側部３２と、これら外周側部３１及び内周側部３２の間に設けた通気部３３とを有して換気框３０が構成してある。
【００１５】
外周側部３１は、上框２２に取り付けられる部分であり、内基部３１１、外基部３１２及び係合ヒレ部３１３を有している。内基部３１１及び外基部３１２は、それぞれが略角筒状を成し、互いに見込み方向に並設するように連結されたものである。内基部３１１は、見込み方向に沿った寸法が見付け方向に沿った寸法よりも大きく構成してあり、外基部３１２は、見付け方向に沿った寸法が見込み方向に沿った寸法よりも大きく構成してある。これら内基部３１１及び外基部３１２は、見込み方向に沿った合計寸法が、上框２２の支持ヒレ部２０２から室外側の見付け面２２ａまでの距離にほぼ等しくなるように構成してある。係合ヒレ部３１３は、上框２２の装着溝２０３に係合可能となる薄板状部分であり、外基部３１２から外周側に向けて突出した後、外周に向けて漸次内方となるように延在している。
【００１６】
内周側部３２は、面材２５の上縁部を支持する部分であり、支持基部３２１、補助装着溝３２２、連結台部３２３及び支持板部３２４を有している。支持基部３２１は、見込み方向に沿った寸法に対して見込み方向に沿った寸法が小さく構成された略角筒状を成す部分である。補助装着溝３２２は、上框２２の装着溝２０３と同じ断面形状を有した凹部であり、内周側に開口する状態で支持基部３２１よりも室外側となる部位に並設してある。連結台部３２３は、補助装着溝３２２の外周側となる部分から外周側に突出した略角筒状を成す部分である。連結台部３２３の見込み方向に沿った寸法は、外基部３１２とほぼ同じとなるように構成してある。支持板部３２４は、支持基部３２１の室内側となる縁部から内周側に突出した板状部分である。支持板部３２４の突出寸法は、上框２２に設けた支持ヒレ部２０２の突出寸法とほぼ同じとなるように構成してある。
【００１７】
通気部３３は、外周側部３１と内周側部３２との間を連結するように設けた上下に沿う平板状部分である。本実施の形態１では、外基部３１２の室内側縁部と連結台部３２３の室内側縁部との間を連結する位置に通気部３３が設けてある。通気部３３によって連結された外周側部３１及び内周側部３２は、外基部３１２の室外に臨む見付け面３１２ａと連結台部３２３の室外に臨む見付け面３２３ａとが同一の平面上に位置している一方、支持基部３２１の室内に臨む見付け面３２１ａが内基部３１１の室内に臨む見付け面３１１ａよりもわずかに室内側に位置している。図２、図３、図５〜図７に示すように、この通気部３３には、長手に沿って複数の通気用開口３３ａが等間隔に設けてある。通気用開口３３ａは、通気部３３を見込み方向に貫通する開口であり、通気部３３の長手に沿って長孔となる矩形状に形成してある。
【００１８】
外周側部３１と内周側部３２との間において通気部３３の両側となる部位には、それぞれ収容空間３４，３５が構成されている。通気部３３よりも室外側に構成された収容空間（以下、区別する場合に外方収容空間３４という）は、換気框３０の室外に臨む見付け面３１２ａ，３２３ａの長手に沿った全長及び両端に開口する空所である。通気部３３よりも室内側に構成された収容空間（以下、区別する場合に内方収容空間３５という）は、換気框３０の室内に臨む見付け面３１１ａ，３２１ａの長手に沿った全長及び両端に開口する空所である。上述の構成を有する換気框３０には、外方収容空間３４に室外側開閉機構３６が配設してあるとともに、内方収容空間３５に室内側開閉機構３７が配設してある。
【００１９】
室外側開閉機構３６及び室内側開閉機構３７は、通気部３３に設けた通気用開口３３ａとともに換気装置を構成するものである。本実施の形態１では、通気部３３の室外側及び室内側において通気用開口３３ａを覆うように設けられ、見込み方向に沿った通気を許容する開放状態と、見込み方向に沿った通気を遮断する遮断状態とに切り替わる室外側開閉機構３６及び室内側開閉機構３７を適用している。
【００２０】
より具体的に説明すると、室外側開閉機構３６は、相対的に左右方向にスライド可能に設けた２つのスライド部材３６１，３６２にそれぞれ複数の通気孔３６１ａ，３６２ａが形成されたものである。換気框３０に対しては、室外側のスライド部材３６１が図示せぬネジ等の固定手段によって固定され、室内側のスライド部材３６２が左右にスライド可能に配設されている。この室外側開閉機構３６では、図２に示すように、室外側スライド部材３６１の通気孔３６１ａに対して室内側スライド部材３６２の通気孔３６２ａが合致しない場合に遮断状態となる。一方、図３に示すように、室外側スライド部材３６１の通気孔３６１ａに対して室内側スライド部材３６２の通気孔３６２ａが合致した場合には、室外側開閉機構３６が通気可能な開放状態となる。
【００２１】
室内側開閉機構３７は、通気孔３７１ａを有した基準プレート３７１と、基準プレート３７１に対して上端の支軸３７２ａを介して近接離反するように移動可能に配設された可動プレート３７２とを備えて構成したものである。可動プレート３７２において基準プレート３７１に対向する面には、封止部材３７３が装着してある。換気框３０に対しては、基準プレート３７１が図示せぬネジ等の固定手段によって固定され、可動プレート３７２の支軸３７２ａが水平に延在するように配設されている。この室内側開閉機構３７では、図２に示すように、可動プレート３７２が基準プレート３７１に対して近接した状態に維持され、封止部材３７３によって通気孔３７１ａが閉塞された場合に遮断状態となる。一方、図３に示すように、支軸３７２ａを支点として可動プレート３７２が基準プレート３７１から離隔した状態に配置されると、封止部材３７３が基準プレート３７１から離隔することによって通気孔３７１ａが開放され、室内側開閉機構３７が通気可能な開放状態となる。
【００２２】
図には明示していないが、本実施の形態１の換気框３０では、室内側開閉機構３７の基準プレート３７１にスライド操作部３８が左右にスライド可能に設けてあり、スライド操作部３８を操作することにより、可動プレート３７２が遮断状態と開放状態とに切り替わるように構成してある。さらに、基準プレート３７１のスライド操作部３８は、室外側開閉機構３６の室内側スライド部材３６２に連係してあり、室内側開閉機構３７が開放状態となった場合に室外側開閉機構３６についても同時に開放状態とすることが可能である。つまり、換気框３０に設けた室外側開閉機構３６及び室内側開閉機構３７は、室内においてスライド操作部３８を左右にスライド操作することにより、開放状態と遮断状態とを切り替えることが可能である。なお、室内側開閉機構３７には、スライド操作部３８のみを外部に露出させるように、カバー部材３７４が設けてある。カバー部材３７４には、室内側開閉機構３７が開放状態となった場合の通気を妨げることのないように、多数のスリット３７４ａが形成してある。また、図中の符号３７５は、通過する空気を濾過するためのフィルタ部材であり、符号３９は、換気框３０の両端部に固定したキャップ部材である。
【００２３】
さらに、図２、図５、図６、図８に示すように、換気框３０には、内方収容空間３５に補強材４０が取り付けてある。補強材４０は、平板状を成す見付け延在部４１と、見付け延在部４１の一方の縁部から直角方向に向けて延在した見込み延在部４２とを鋼材によって一体に成形したもので、換気框３０の長手に沿った寸法とほぼ同じ長さを有している。この補強材４０の見付け延在部４１には、通孔４１１及び２つのガイドリブ４１２，４１３が設けてあるとともに、２つの熱膨張性部材５１，５２が配設してある。
【００２４】
通孔４１１は、見付け延在部４１を貫通する開口であり、換気框３０の通気部３３に設けた通気用開口３３ａとほぼ同じ形状に形成してある。これらの通孔４１１は、見付け延在部４１を通気部３３の室内に臨む見付け面３３ｂに当接した場合に互いに合致するように、通気用開口３３ａと同じピッチで同じ数だけ設けてある。
【００２５】
ガイドリブ４１２，４１３は、通孔４１１の両側となる部位に設けた薄板状の突出部であり、見込み延在部４２と同じ向きに突設してある。見込み延在部４２に近接したガイドリブ（以下、区別する場合に上方ガイドリブ４１２という）は、もう一方のガイドリブ（以下、区別する場合に下方ガイドリブ４１３という）よりも突出寸法が大きく構成してある。これらのガイドリブ４１２，４１３は、見付け延在部４１の長手に沿った全長にわたる部位に設けてある。
【００２６】
熱膨張性部材５１，５２は、熱により膨張する不燃性または難燃性の耐火部材である。この種の熱膨張性部材５１，５２としては、例えば、熱膨張性を有した黒鉛含有の発泡材を適用することができる。本実施の形態１では、幅方向の寸法に対して板厚の薄い断面形状を有した長尺状の熱膨張性部材５１，５２を適用し、上方ガイドリブ４１２及び下方ガイドリブ４１３をガイドとしてそれぞれ見付け延在部４１の長手に沿った全長に配設してある。すなわち、一方の熱膨張性部材５１は、上方ガイドリブ４１２において補強材４０の通孔４１１に臨む表面４１２ａに配設してある。もう一方の熱膨張性部材５２は、一方の縁部が下方ガイドリブ４１３において上方ガイドリブ４１２に非対向となる表面４１３ａに当接する状態で見付け延在部４１の表面に配設してある。図には明示していないが、それぞれの熱膨張性部材５１，５２は、両面テープや接着剤によって補強材４０に接着してある。
【００２７】
上述の補強材４０は、通孔４１１が通気用開口３３ａと合致する状態で見付け延在部４１が通気部３３及び内周側部３２に当接し、かつ見込み延在部４２が外周側部３１に当接した状態でそれぞれネジＳによって換気框３０に取り付けてある。見付け延在部４１においてネジＳを螺合する部分は、内周側部３２の連結台部３２３であり、見込み延在部４２においてネジＳを螺合する部分は、外周側部３１の内基部３１１である。すなわち、補強材４０は、外周側部３１と内周側部３２との間に架け渡すように見付け延在部４１が通気部３３に沿って配置され、外周側部３１及び内周側部３２の間を連結している。
【００２８】
上記のように構成した換気框３０は、左右の縦框２１、上框２２及び下框２３によって框組２４を構成した後、面材２５を装着する以前に上框２２の下面に取り付けられる。換気框３０の取り付けにあたっては、例えば外周側部３１の室内に臨む見付け面３１１ａ及びキャップ部材３９の室内に臨む見付け面にそれぞれ接着剤もしくは両面テープを装着する。その後、上框２２の装着溝２０３に係合ヒレ部３１３を挿入しながら、外周側部３１の室内に臨む見付け面３１１ａを上框２２の支持ヒレ部２０２に押し付けて支持させるとともに、キャップ部材３９の室内に臨む見付け面を縦框２１の支持ヒレ部２０２に押し付けて支持させれば、框組２４に換気框３０を取り付けることができる。
【００２９】
框組２４に換気框３０を取り付けた後においては、左右の縦框２１、換気框３０及び下框２３によって囲まれる領域に面材２５を取り付けて障子２０Ａ，２０Ｂを構成する。面材２５の取り付けは、例えば面材２５の一方の表面をそれぞれの支持ヒレ部２０２及び支持板部３２４に接着し、かつ装着溝２０３及び補助装着溝３２２のそれぞれに装着した押縁２６によって面材２５の他方の表面を支持すれば良い。
【００３０】
上述の障子２０Ａ，２０Ｂを備える建具にあっては、障子２０Ａ，２０Ｂによって枠体１０の開口を閉じた状態においても、換気框３０のスライド操作部３８を左右にスライドさせることで室外側開閉機構３６及び室内側開閉機構３７を開放状態に操作すれば、室外と室内との間で通気が可能となり、室内を換気することができるようになる。換気が不要の際には、スライド操作部３８を操作して室外側開閉機構３６及び室内側開閉機構３７を遮断状態とすれば、室内と室外との間の通気を遮断することができる。
【００３１】
室外側開閉機構３６及び室内側開閉機構３７については、それぞれを収容する収容空間３４，３５が換気框３０の見付け面３１２ａ，３２３ａ，３１１ａ，３２１ａにおいて長手に沿った全長に開口しているため、障子２０Ａ，２０Ｂを分解することなく換気框３０に対して着脱することができる。従って、これらの開閉機構３６，３７を清掃したり、交換が必要となった場合にも、それぞれの作業を容易化することが可能となる。
【００３２】
しかも、内周側部３２及び外周側部３１に比べて見込み方向に沿った寸法が小さく、かつ多数の通気用開口３３ａが設けられた通気部３３に対しては、内周側部３２及び外周側部３１の間を連結するように補強材４０を設けるようにしている。内周側部３２は、略角筒状の支持基部３２１及び連結台部３２３を有し、かつ外周側部３１は、略角筒状の内基部３１１及び外基部３１２を有したものであり、平板状を成す通気部３３に比べて剛性上有利である。従って、建具に風圧が加えられ、仮に面材２５が湾曲するように変形したとしても、内周側部３２及び外周側部３１との間を連結する補強材４０によってこれに抗することができ、通気部３３に変形を来すおそれがない。これにより、開閉機構３６，３７が不動となることはなく、その操作性が損なわれるおそれもない。
【００３３】
さらに、上述の建具においては、補強材４０に熱膨張性部材５１，５２を配設するようにしている。従って、仮に開閉機構３６，３７が開放状態となっている状況下で、火災が発生したとしても、換気框３０が火炎の貫通口となる事態を招来するおそれがない。すなわち、建具が高温に晒された場合には、換気框３０の内方収容空間３５において熱膨張性部材５１，５２が膨張することになり、図４に示すように、膨張した熱膨張性部材５１，５２によって補強材４０の通孔４１１及び通気部３３の通気用開口３３ａが閉塞されることになる。また、室内側開閉機構３７においては、基準プレート３７１に対して可動プレート３７２が離隔した状態にあるものの、膨張した熱膨張性部材５１，５２によって可動プレート３７２が基準プレート３７１に押し付けられ、強制的に遮断状態となる。これらの結果、換気框３０においては、見込み方向に通気が可能となる経路が無い状態となる。これにより、例えば、室外側の火炎が換気框３０を経て室内側に至る事態を防止することができるようになる。
【００３４】
なお、上述した実施の形態１では、補強材４０に熱膨張性部材５１，５２を設けた換気框３０を例示しているが、必ずしもこれに限定されず、図９〜図１１に示す変形例のように、ガイドリブ及び熱膨張性部材を設けていない補強材４０′を換気框３０に取り付けるようにしても良い。変形例において実施の形態１と同様の構成については同一の符号が付してある。この変形例の換気框３０を備える建具においても、補強材４０′によって内周側部３２及び外周側部３１の間が連結してあるため、建具に風圧が加えられ、仮に面材２５が湾曲するように変形したとしても、補強材４０′によって通気部３３に変形を来すおそれがない。これにより、開閉機構３６，３７が不動となることはなく、その操作性が損なわれるおそれもない。
【００３５】
（実施の形態２）
図１２は、本発明の実施の形態２である建具を示したものである。ここで例示する建具は、実施の形態１と同様、枠体１０に対して室外側の外障子２０Ａ及び室内側の内障子２０Ｂをそれぞれ左右方向にスライド可能に配設した引き違い窓であり、実施の形態１とは換気框の構成及び補強材の構成のみが異なっている。以下、実施の形態１と異なる構成について詳述し、実施の形態１と同様の構成については同一の符号を付してそれぞれの説明を省略する。
【００３６】
換気框（換気フレーム材）６０は、樹脂によって成形した押し出し形材であり、長手方向の全長にわたってほぼ一様な断面形状を有するように構成してある。本実施の形態２では、框組に対して外周側となる外周側部６１と、内周側となる内周側部６２と、これら外周側部６１及び内周側部６２の間に設けた通気部６３とを有して換気框６０が構成してある。
【００３７】
外周側部６１は、上框２２に取り付けられる部分であり、内基部６１１、外基部６１２、係合ヒレ部６１３及び上方取付溝６１４を有している。内基部６１１及び外基部６１２は、それぞれが略角筒状を成し、互いに見込み方向に並設するように連結されたものである。内基部６１１は、見込み方向に沿った寸法が見付け方向に沿った寸法よりも大きく構成してあり、外基部６１２は、見付け方向に沿った寸法が見込み方向に沿った寸法よりも大きく構成してある。これら内基部６１１及び外基部６１２は、見込み方向に沿った合計寸法が、上框２２の支持ヒレ部２０２から室外側の見付け面２２ａまでの距離にほぼ等しくなるように構成してある。係合ヒレ部６１３は、上框２２の装着溝２０３に係合可能となる薄板状部分であり、外基部６１２から外周側に向けて突出した後、外周に向けて漸次内方となるように延在している。上方取付溝６１４は、内基部６１１と外基部６１２との間に設けた下方に開口する凹部であり、後述する通気部６３において室内側に位置する見付け面６３ｂの延長上となる部位に設けてある。
【００３８】
内周側部６２は、面材２５の上縁部を支持する部分であり、支持基部６２１、下方取付溝６２２、補助装着溝６２３、連結台部６２４及び支持板部６２５を有している。支持基部６２１は、見込み方向に沿った寸法に対して見込み方向に沿った寸法が小さく構成された略角筒状を成す部分である。下方取付溝６２２は、支持基部６２１の室外側となる部位に設けた凹部であり、上方に開口し、かつ外周側部６１の上方取付溝６１４に対向している。この下方取付溝６２２についても、上方取付溝６１４と同様、後述する通気部６３において室内側に位置する見付け面６３ｂの延長上となる部位に設けてある。補助装着溝６２３は、上框２２の装着溝２０３と同じ断面形状を有した凹部であり、内周側に開口する状態で下方取付溝６２２よりも室外側となる部位に並設してある。連結台部６２４は、補助装着溝６２３の外周側となる部分から外周側に突出した略角筒状を成す部分である。連結台部６２４の見込み方向に沿った寸法は、外基部６１２とほぼ同じとなるように構成してある。支持板部６２５は、支持基部６２１の室内側となる縁部から内周側に突出した板状部分である。支持板部６２５の突出寸法は、上框２２に設けた支持ヒレ部２０２の突出寸法とほぼ同じとなるように構成してある。
【００３９】
通気部６３は、外周側部６１と内周側部６２との間を連結するように設けた上下に沿う平板状部分であり、外基部６１２の室内側縁部と連結台部６２４の室内側縁部との間を連結する位置に設けてある。通気部６３によって連結された外周側部６１及び内周側部６２は、外基部６１２の室外に臨む見付け面６１２ａと連結台部６２４の室外に臨む見付け面６２４ａとが同一の平面上に位置している一方、支持基部６２１の室内に臨む見付け面６２１ａが内基部６１１の室内に臨む見付け面６１１ａよりもわずかに室内側に位置している。図には明示していないが、この通気部６３には、実施の形態１と同様、長手に沿って複数の通気用開口６３ａが等間隔に設けてある。通気用開口６３ａは、通気部６３を見込み方向に貫通する開口であり、通気部６３の長手に沿って長孔となる矩形状に形成してある。
【００４０】
補強材７０は、鋼材によって平板状に成形したものである。補強材７０の長手に沿った寸法は、換気框６０の長手に沿った寸法とほぼ同じ長さを有している。補強材７０の幅は、換気框６０に形成した上方取付溝６１４から下方取付溝６２２までの距離とほぼ同じであり、補強材７０の板厚は、これらの取付溝６１４，６２２に嵌合することのできる寸法に構成してある。図１３に示すように、補強材７０には、通気部６３の通気用開口６３ａと同じピッチで同じ数だけ通孔７１が設けてあるのは実施の形態１と同様である。この補強材７０は、通孔７１が通気用開口６３ａと合致する状態で、それぞれの縁部が上方取付溝６１４及び下方取付溝６２２に装着してある。
【００４１】
図１２に示すように、実施の形態２の換気框６０においても、外周側部６１と内周側部６２との間において通気部６３の両側となる部位にそれぞれ収容空間３４，３５が構成され、これらの収容空間３４，３５に室外側開閉機構３６及び室内側開閉機構３７が配設してあるのは実施の形態１と同様である。
【００４２】
上述の換気框６０が障子に設けられた建具にあっては、それぞれの開閉機構３６，３７を収容する収容空間３４，３５が換気框６０の見付け面６１２ａ，６２４ａ，６１１ａ，６２１ａの長手に沿った全長に開口しているため、障子を分解することなく換気框６０に対して着脱することができる。従って、これらの開閉機構３６，３７を清掃したり、交換が必要となった場合にも、それぞれの作業を容易化することが可能となる。
【００４３】
しかも、内周側部６２及び外周側部６１に比べて見込み方向に沿った寸法が小さく、かつ多数の通気用開口６３ａが設けられた通気部６３に対しては、内周側部６２及び外周側部６１の間に架け渡すように補強材７０を設けるようにしている。内周側部６２は、略角筒状の支持基部６２１及び連結台部６２４を有し、かつ外周側部６１は、略角筒状の内基部６１１及び外基部６１２を有したものであり、平板状を成す通気部６３に比べて剛性上有利である。従って、建具に風圧が加えられ、仮に面材２５が湾曲するように変形したとしても、内周側部６２及び外周側部６１との間に架け渡した補強材７０によってこれに抗することができ、通気部６３に変形を来すおそれがない。これにより、開閉機構３６，３７が不動となることはなく、その操作性が損なわれるおそれもない。
【００４４】
なお、上述した実施の形態１、変形例及び実施の形態２では、引き違い窓の障子に換気框を設けたものを例示しているが、本発明はこれに限定されず、引き違い窓以外の建具の障子にも適用することが可能である。この場合、必ずしも専用の換気框を備えている必要はなく、框組を構成する框材、例えば上框２２に換気装置が設けられているものであっても構わない。さらに、必ずしも障子に限らず、枠体に直接面材を支持させたＦＩＸ窓に換気フレーム材を設ける場合にも適用することが可能である。これらの場合、面材の上縁に換気フレーム材を備えている必要はなく、面材の下縁や側縁に換気フレーム材を備えるように建具を構成しても良い。またさらに、換気フレーム材として樹脂によって成形したものを例示しているが、必ずしもこれに限定されない。
【００４５】
また、上述した実施の形態１、変形例及び実施の形態２では、補強材として換気フレーム材の全長にわたる長さを有したものを例示しているが、必ずしもこれに限定されず、適宜間隔を確保した複数位置に補強材を設けるようにしても良い。また、通気部の室外側及び室内側の両方に開閉機構を設けた換気框を例示しているが、本発明は少なくとも一方にのみ開閉機構が設けられていれば良い。さらに、換気フレーム材の収容空間としては、見付け面の長手に沿った全長に開口するものを例示しているが、本発明はこれに限定されず、矩形状を成す複数の開口やスリット状を成す複数の開口によって換気フレーム材の見付け面に開口するように収容空間が設けられていても良い。
【００４６】
本発明に係る建具は、面材の縁部に沿って換気フレーム材が設けられた建具であって、前記換気フレーム材は、見込み方向に沿った通気用開口が設けられた通気部と、前記通気部よりも面材側に位置する内周側部と、前記通気部よりも外周側に位置する外周側部とを有し、前記内周側部及び前記外周側部に架け渡して補強材が取り付けられていることを特徴とする。
【００４７】
この発明によれば、内周側部及び外周側部に架け渡すように補強材が配設されているため、風圧によって面材が湾曲するように変形した場合にも、通気部に変形を来すおそれがなくなる。
【００４８】
また本発明は、上述した建具において、前記補強材は、前記換気フレーム材の長手に沿った長さを有し、前記通気部の通気用開口に対向する部位に通孔を有していることを特徴とする。
【００４９】
この発明によれば、補強材として換気フレーム材の長手に沿った長さを有するものを適用しているため、補強材を取り付ける際の作業が煩雑化する事態を防止できる。しかしながら、補強材としては、必ずしも換気フレーム材の長手に沿った長さを有している必要はなく、換気フレーム材の長手に沿って複数の補強材を取り付けるようにしても良い。
【００５０】
また本発明は、上述した建具において、前記補強材は、見付け方向に沿って延在する見付け延在部と、見込み方向に沿って延在する見込み延在部とを一体に成形したものであり、前記見付け延在部及び前記見込み延在部を介して前記内周側部及び前記外周側部に取り付けられていることを特徴とする。
【００５１】
この発明によれば、互いに直交する方向に沿って延在する見付け延在部と見込み延在部とを有した補強材を適用しているため強度的に有利となる。このため、平板状を成す補強材を適用した場合に比べて補強材の板厚を薄くすることが可能となり、建具の重量や製造コストの点で有利となる。
【００５２】
また本発明は、上述した建具において、前記補強材には、耐火性を有した熱膨張性部材が配設されていることを特徴とする。
【００５３】
この発明によれば、換気フレーム材が高温に晒された場合に熱膨張性部材が膨張することになる。従って、膨張した熱膨張性部材によって通気用開口が塞がれることになり、防火性の点で有利となる。
【００５４】
また本発明は、上述した建具において、前記補強材は、前記換気フレーム材の長手に沿った長さを有し、前記通気部の通気用開口に対向する部位に通孔を有し、前記補強材の見付け延在部には、ガイドリブが突出して設けられ、前記ガイドリブにおいて前記通孔に臨む面に耐火性を有した熱膨張性部材が配設されていることを特徴とする。
【００５５】
この発明によれば、換気フレーム材が高温に晒された場合に熱膨張性部材が膨張することになる。従って、膨張した熱膨張性部材によって通気用開口が塞がれることになり、防火性の点で有利となる。しかも、ガイドリブにおいて補強材の通孔に臨む面に熱膨張性部材を配設しているため、通孔を確実に塞ぐことが可能となる。
【００５６】
また本発明は、上述した建具において、前記内周側部及び前記外周側部には、前記通気部の見付け面延長上となる部位に取付溝が設けられており、前記補強材は、見付け方向に沿って延在する平板状を成し、両側の縁部がそれぞれ前記取付溝に装着されていることを特徴とする。
【００５７】
この発明によれば、補強材として平板状のものを適用し、しかもその両側縁部を内周側部及び外周側部の取付溝に装着すれば良いため、製造コストを低減し、かつ製造作業を溶解することができる。
【００５８】
また、本発明は、上述した建具において、前記換気フレーム材には、前記内周側部と前記外周側部との間に収容空間が設けられ、前記収容空間には、前記通気用開口を通じた通気を制御する開閉機構が配設されていることを特徴とする。
【００５９】
この発明によれば、通気部に変形を来すおそれがなくなるため、収容空間に配設した開閉機構の操作性が損なわれることがない。
【符号の説明】
【００６０】
２５  面材、３０，６０  換気框、３１，６１  外周側部、３２，６２  内周側部、３３，６３  通気部、３３ａ，６３ａ  通気用開口、３４  外方収容空間、３５  内方収容空間、３６  室外側開閉機構、３７  室内側開閉機構、４０，４０′，７０  補強材、４１  見付け延在部、４２  見込み延在部、５１  熱膨張性部材、５２  熱膨張性部材、３１１ａ，３１２ａ，３２１ａ，３２３ａ，６１１ａ，６１２ａ，６２１ａ，６２４ａ  見付け面、７１，４１１  通孔、４１２  上方ガイドリブ、４１３  下方ガイドリブ、６１４，６２２  取付溝
【図１】
2019218715.tif 000003
【図２】
2019218715.tif 000004
【図３】
2019218715.tif 000005
【図４】
2019218715.tif 000006
【図５】
2019218715.tif 000007
【図６】
2019218715.tif 000008
【図７】
2019218715.tif 000009
【図８】
2019218715.tif 000010
【図９】
2019218715.tif 000011
【図１０】
2019218715.tif 000012
【図１１】
2019218715.tif 000013
【図１２】
2019218715.tif 000014
【図１３】
2019218715.tif 000015